(57)【特許請求の範囲】
【請求項１】
展開時において、縦方向と、縦方向に直交する横断方向と、縦方向に離間する前側領域及び後側領域と、前記前側領域と前記後側領域との間に位置する股領域とを含む使い捨てオムツであって、
前記縦方向に沿ってそれぞれ延びると共に自由端及び固定端と、対応する前記自由端を含む自由端部とをそれぞれ有する１対の防漏壁と、それぞれの前記防漏壁の前記横断方向の外側に位置する少なくとも１対の連結部材とを備え、
前記防漏壁がそれぞれ、これらの前記自由端部に伸長状態で取り付けられた前記縦方向に延びる弾性部材である自由端部弾性部材を備え、かつ前記横断方向の内側に面する内面と、前記横断方向の外側に面する外面とを有し、
前記前側領域及び前記後側領域の前記横断方向の端領域には側縁部がそれぞれ設けられており、
前記連結部材がそれぞれ、前記前側領域の前記側縁部及び前記後側領域の前記側縁部の両方又は一方に接合される第一接合部を有し、さらに前記防漏壁の前記自由端と前記固定端との間の前記外面に接合される第二接合部を有し、
前記連結部材は、前記第一接合部から前記縦方向の内側かつ前記横断方向の内側に向かって前記第二接合部まで延在する接合中間部分を含み、
前記接合中間部分が使い捨てオムツの他のいずれの構成要素とも接合されていない、
使い捨てオムツにおいて、
前記連結部材が、１対の脚回りシートから構成されており、
各前記脚回りシートの一方の前記縦方向の端部が前記前側領域に位置する前記使い捨てオムツの構成要素に接合され、
各前記脚回りシートの他方の前記縦方向の端部が前記後側領域に位置する前記使い捨てオムツの構成要素に接合され、
各前記脚回りシートの前記横断方向の内側の側縁部が前記防漏壁の前記外面に接合されている、
使い捨てオムツ。
【請求項２】
前記前側領域及び前記後側領域の両方又は一方には前記横断方向に伸縮性を有する伸縮部分が設けられ、
前記防漏壁の長手方向端部のそれぞれが前記伸縮部分と重なるように配置される、
請求項１に記載の使い捨てオムツ。
【請求項３】
前記前側領域及び前記後側領域の前記縦方向の内側の端領域には縦方向内縁部がそれぞれ設けられており、
各前記脚回りシートの一方の前記縦方向の端部が前記前側領域の前記縦方向内縁部に接合され、
各前記脚回りシートの他方の前記縦方向の端部が前記後側領域の前記縦方向内縁部に接合される、
請求項１又は２に記載の使い捨てオムツ。
【請求項４】
さらに、前記横断方向の中間位置を前記縦方向に前記前側領域から前記股領域を通って前記後側領域に延びる吸収要素と、前記縦方向に延びる１対の弾性部材である股下弾性部材とを備え、
前記吸収要素が着用者側の表面とその反対側の裏面を有し、かつ吸収体を内部に含み、
前記股下弾性部材は、前記吸収要素の両側に伸長状態で、前記吸収要素の表面よりも裏面に近い位置であって、吸収体のそれぞれの側部から前記横断方向の外側又は前記横断方向の内側に１０ｍｍ以内の位置に配置される、
請求項１〜３のいずれか１項に記載の使い捨てオムツ。
【請求項５】
前記股下弾性部材を取り付けた使い捨てオムツの部分の前記縦方向の収縮率が、前記自由端部弾性部材を取り付けた前記防漏壁の前記自由端部の前記縦方向の収縮率以下である、
請求項４に記載の使い捨てオムツ。
【請求項６】
前記防漏壁がそれぞれ、前記防漏壁の前記自由端部弾性部材と前記固定端との間に位置する中間部分に伸長状態で取り付けられた前記縦方向に沿って延びる弾性部材である中間位置弾性部材を含み、
前記第二接合部が中間位置弾性部材に重なるように配置される、
請求項１〜５のいずれか１項に記載の使い捨てオムツ。
【請求項７】
使い捨てオムツの展開時において、前記防漏壁の前記自由端部弾性部材と前記固定端との間に位置する中間部分を前記縦方向に延びる折り曲げ線に沿って前記横断方向の外向きに前記防漏壁を折り返して、互いに重なり合う防漏壁部分の少なくとも一部を前記防漏壁の縦方向端部において互いに接合する、
請求項１〜６のいずれか１項に記載の使い捨てオムツ。
【発明の詳細な説明】
【技術分野】
【０００１】
本発明は、使い捨てオムツに関する。
【背景技術】
【０００２】
前後胴周り域およびそれら胴周り域の間に位置する股下域を有するシート部材と、前記股下域から前記前後胴周り域へ向かって縦方向へ延びる吸収要素とから構成され、実質的に不透液性の防漏壁が、前記吸収要素の両側縁部近傍を前記縦方向へ延び、前記防漏壁が、前記縦方向へ延びる固定縁部と、前記吸収要素の上方へ起立性向を有して前記縦方向へ延びる自由縁部と、横方向内方へ倒伏した固定前後端部とを備え、前記縦方向へ延びる伸縮性弾性部材が、前記防漏壁の自由縁部に伸長状態で取り付けられた使い捨て着用物品において、前記防漏壁の自由縁部を前記吸収要素の上方へ引き起すことが可能な連結部材が、前記防漏壁の外側に位置して該防漏壁の固定前端部近傍と固定後端部近傍とのうちの少なくとも一方を前記横方向へ延び、前記連結部材が、前記防漏壁の固定前後端部近傍に位置する自由縁部に連結された固定上端部と、前記胴周り域と前記股下域とのいずれかに連結された固定下端部と、前記固定上端部と前記固定下端部との間に延びる自由中間部とを有する前記着用物品が公知である（特許文献１参照）。
【０００３】
このようにすると、着用物品、特に使い捨てオムツの防漏壁が、前記連結部材がないときに比べて起立することとなり、尿等の体液が前記防漏壁の自由端部を越えて漏れ出ることを抑制することができる。
【先行技術文献】
【特許文献】
【０００４】
【特許文献１】特開２００３−７９６５９号公報
【発明の概要】
【発明が解決しようとする課題】
【０００５】
しかしながら、前記連結部材が前記防漏壁の前記固定前端部近傍と前記固定後端部近傍とのうちの少なくとも一方を前記横方向に延びることから、体液を主に吸収するオムツの縦方向の内側の領域、主に股領域において、防漏壁を十分に起立させることができず、さらに防漏壁が縦方向の内側の領域の防漏壁同士が近接してしまい、ひいては吸収要素が体液を吸収するまでに体液を留めておくための、防漏壁及び吸収性部材から構成されるポケットを十分に確保することができず、その結果、体液が防漏壁を越えて漏れ出るおそれがある。
【課題を解決するための手段】
【０００６】
上記課題を解決するために、本発明によれば、
展開時において、縦方向と、縦方向に直交する横断方向と、縦方向に離間する前側領域及び後側領域と、前記前側領域と前記後側領域との間に位置する股領域とを含む使い捨てオムツであって、
前記縦方向に沿ってそれぞれ延びると共に自由端及び固定端と、対応する前記自由端を含む自由端部とをそれぞれ有する１対の防漏壁と、それぞれの前記防漏壁の前記横断方向の外側に位置する少なくとも１対の連結部材とを備え、
前記防漏壁がそれぞれ、これらの前記自由端部に伸長状態で取り付けられた前記縦方向に延びる弾性部材である自由端部弾性部材を備え、かつ前記横断方向の内側に面する内面と、前記横断方向の外側に面する外面とを有し、
前記前側領域及び前記後側領域の前記横断方向の端領域には側縁部がそれぞれ設けられており、
前記連結部材がそれぞれ、前記前側領域の前記側縁部及び前記後側領域の前記側縁部の両方又は一方に接合される第一接合部を有し、さらに前記防漏壁の前記自由端と前記固定端との間の前記外面に接合される第二接合部を有し、
前記連結部材は、前記第一接合部から前記縦方向の内側かつ前記横断方向の内側に向かって前記第二接合部まで延在する接合中間部分を含み、
前記接合中間部分が使い捨てオムツの他のいずれの構成要素とも接合されていない、
使い捨てオムツが提供される。
【０００７】
さらに、前記前側領域及び前記後側領域の両方又は一方には前記横断方向に伸縮性を有する伸縮部分が設けられ、前記防漏壁の長手方向端部のそれぞれが前記伸縮部分と重なるように配置されると好ましい。使い捨てオムツの着用時に防漏壁を横断方向の外側に互いに離間させることができ、ひいては、防漏壁及び吸収要素で構成されるポケットを十分に確保することが出来るからである。
【０００８】
さらに、使い捨てオムツは、一対の前記防漏壁の外側にそれぞれ配置された２対の前記連結部材を備え、一方の対の前記連結部材の前記第一接合部がそれぞれ、前記前側領域の前記側縁部に接合され、他方の対の前記連結部材の前記第一接合部がそれぞれ、前記後側領域の前記側縁部に接合されると好ましい。オムツの縦方向の内側の領域において、各防漏壁をさらに持ち上げることができるからである。
【０００９】
さらに、各前記連結部材は、細長形状の連結ストリップから構成されており、各前記連結ストリップの一方の長手方向端部が、前記前側領域及び前記後側領域のどちらか一方の前記側縁部に接合し、各前記連結ストリップの他方の長手方向端部が前記防漏壁の前記外面に接合すると好ましい。オムツの縦方向の内側の領域、主に股領域において、各防漏壁をさらに持ち上げることができるからである。
【００１０】
さらに、前記連結部材が、１対の脚回りシートから構成されており、各前記脚回りシートの一方の前記縦方向の端部が前記前側領域に位置する前記使い捨てオムツの構成要素に接合され、各前記脚回りシートの他方の前記縦方向の端部が前記後側領域に位置する前記使い捨てオムツの構成要素に接合され、各前記脚回りシートの前記横断方向の内側の側縁部が前記防漏壁の前記外面に接合されていると好ましい。オムツの縦方向の内側の領域の広い範囲において、各防漏壁をさらに持ち上げることができるからである。
【００１１】
さらに、前記前側領域及び前記後側領域の前記縦方向の内側の端領域には縦方向内縁部がそれぞれ設けられており、各前記脚回りシートの一方の前記縦方向の端部が前記前側領域の前記縦方向内縁部に接合され、各前記脚回りシートの他方の前記縦方向の端部が前記後側領域の前記縦方向内縁部に接合されると好ましい。
【００１２】
さらに、前記連結部材が、２対の脚回りシートから構成されており、各対の前記脚回りシートが縦方向に離間されており、前記前側領域及び前記後側領域の前記縦方向の内側の端領域には縦方向内縁部がそれぞれ設けられており、各前記脚回りシートの一方の縦方向端部が、前記前側領域の前記縦方向内縁部及び前記後側領域の前記縦方向内縁部のいずれか一方に接合され、各前記脚回りシートの前記横断方向の内側の側縁部が前記防漏壁の前記外面に接合されていると好ましい。本発明の効果を発揮しつつ、脚回りシートを節約することができるからである。
【００１３】
さらに、使い捨てオムツが、前記横断方向の中間位置を前記縦方向に前記前側領域から前記股領域を通って前記後側領域に延びる吸収要素と、前記縦方向に延びる１対の弾性部材である股下弾性部材とを備え、前記吸収要素が着用者側の表面とその反対側の裏面を有し、かつ吸収体を内部に含み、前記股下弾性部材は、前記吸収要素の両側に伸長状態で、前記吸収要素の表面よりも裏面に近い位置であって、吸収体のそれぞれの側部から前記横断方向の外側又は前記横断方向の内側に１０ｍｍ以内の位置に配置されると好ましい。股下弾性部材により、その収縮する力によって、吸収体が液体を吸収して重量を増したときに、吸収要素がその重量によって着用者の股下部分から垂れ下がることを防止して、体液がオムツから漏れ出ることを防ぐことができるからである。
【００１４】
さらに、前記股下弾性部材を取り付けた使い捨てオムツの部分の前記縦方向の収縮率が、前記自由端部弾性部材を取り付けた前記防漏壁の前記自由端部の前記縦方向の収縮率以下であると好ましい。所望の形状のポケットを形成することができるからである。
【００１５】
さらに、前記防漏壁がそれぞれ、前記防漏壁の前記自由端部弾性部材と前記固定端との間に位置する中間部分に伸長状態で取り付けられた前記縦方向に沿って延びる弾性部材である中間位置弾性部材を含み、前記第二接合部が中間位置弾性部材に重なるように配置されると好ましい。防漏壁をさらに起立させることができるからである。
【００１６】
さらに、使い捨てオムツの展開時において、前記防漏壁の前記自由端部弾性部材と前記固定端との間に位置する中間部分を前記縦方向に延びる折り曲げ線に沿って前記横断方向の外向きに前記防漏壁を折り返して、互いに重なり合う防漏壁部分の少なくとも一部を前記防漏壁の縦方向端部において互いに接合すると好ましい。防漏壁の自由端部同士が近接することを防ぐことができるからである。
【００１７】
さらに、連結部材の前記接合中間部分が使い捨てオムツの他のいずれかの構成要素に部分的に接合されていると好ましい。オムツの着用時において、着用者がオムツに脚を通すときに、連結部材が脚に引っかかってしまうことを防ぐことができる。
【発明の効果】
【００１８】
本発明により、使い捨てオムツの縦方向の内側の領域において、防漏壁を十分に起立させ、さらに吸収要素が体液を吸収するまでに体液を留めておくポケットを十分に確保することができる使い捨てオムツを提供することができる。
【図面の簡単な説明】
【００１９】
【図１】第一の実施形態の使い捨てオムツを示す平面図。
【図２】図１のオムツの展開時の平面図。
【図３】図２のＩＩＩ−ＩＩＩ線に沿った、第一の実施形態のオムツの断面図。
【図４】第一の実施形態のオムツ１の作用を示す、オムツの股領域の横断方向断面図。
【図５】第二の実施形態のオムツの展開時の平面図。
【図６】第二の実施形態のオムツへの、防漏壁の別の取り付け方を示す図３に類似する断面図。
【図７】第三の実施形態のオムツの展開時の平面図。
【図８】図７のＶＩＩＩ−ＶＩＩＩ線に沿った、第三の実施形態のオムツの部分断面図。
【図９】第四の実施形態のオムツの展開時の平面図。
【図１０】使い捨てオムツの変形例を示す、図３に類似する断面図。
【図１１】使い捨てオムツのさらなる変形例を示す、図１０に類似する断面図。
【図１２】使い捨てオムツのさらなる変形例を示す、図１１に類似する断面図。
【発明を実施するための形態】
【００２０】
本発明は上述の図面を参照しつつより詳細に記載される。なお、図面は、本発明の理解を容易にすると共に図面の記載を簡略化するために実際の構成要素の大きさ、厚さ、数、縮尺、形状と同一に描かれていない場合があることに留意されたい。
【００２１】
本発明において、「縦方向の内側」とは、一例として図２に示されているオムツの展開時の平面図において、オムツ１の縦方向及び横断方向の中央の箇所、すなわちオムツ１の中心を通過する横断方向に延びる仮想横断方向軸線ＴＡに縦方向に向かう方向をいい、「縦方向の外側」とはその逆方向をいうものとする。さらに、「横断方向の内側」とは、同様に吸収要素１３の中心を通過する縦方向に延びる仮想縦方向軸線ＬＡに横断方向に向かう方向をいい、「横断方向の外側」とはその逆方向をいうものとする。
【００２２】
本発明の使い捨てオムツは、いわゆるパンツ型オムツ及びテープ型オムツ等のあらゆる形状及び構成の使い捨てオムツを含むものとする。
【００２３】
（第一の実施形態）
図１は、１つの胴回り開口ＷＯ及び１対の脚回り開口ＬＯを備える、本発明の第一の実施形態の使い捨てオムツ１を示す平面図である。本実施形態の使い捨てオムツ１は、いわゆるパンツ型のオムツである。図１は、前胴回り外装シート１０Ｆ及び吸収要素１３と、前胴回り外装シート１０Ｆの背面に存在する後胴回り外装シート１０Ｒとを備え、かつこれら前胴回り外装シート１０Ｆと後胴回り外装シート１０Ｒとの側縁部１０Ｓにおいて互いに接合されている使い捨てオムツ１を示している。
【００２４】
図２は図１のオムツの展開時の平面図を示す。なお、図２及び図２以降の展開時のオムツの平面図において矢印で示されている方向Ｌはオムツ１の縦方向を、方向Ｔは縦方向に直交する横断方向をそれぞれ示している。
【００２５】
図２では、前胴回り外装シート１０Ｆと後胴回り外装シート１０Ｒとが互いに縦方向に離間している。さらに、図２では前側領域ＦＡ及び後側領域ＲＡが縦方向に離間しており、これらの間に股領域ＣＡが存在する。前胴回り外装シート１０Ｆは、前側領域ＦＡにおいて矩形をなしており、股領域ＣＡにおいてオムツ１の縦方向の内側に向かうにつれ幅が狭くなっている。後胴回り外装シート１０Ｒは、後側領域ＲＡにおいて矩形をなしており、股領域ＣＡにおいて縦方向の内側に向かうにつれ幅が狭くなっている。股領域ＣＡの前側領域ＦＡ及び後側領域ＲＡよりも幅が狭くなっている部分によって脚回り開口形成部２１が形成されている。しかしながら、前胴回り外装シート１０Ｆ及び後胴回り外装シート１０Ｒはそれぞれ、前側領域ＦＡ及び後側領域ＲＡのみに拡がる矩形のシートでもよいし、前側領域ＦＡから股領域ＣＡを介して後側領域ＲＡまで延びる一体の外装シート１０でもよい。また、本実施形態のオムツ１はさらに、これら前胴回り外装シート１０Ｆと後胴回り外装シート１０Ｒの間の横断方向の中間位置に前側領域ＦＡから股領域ＣＡを通って後側領域ＲＡに延びる、尿などの体液を吸収するための矩形形状の吸収要素１３を備える。吸収要素１３は着用者側の表面とその反対側の裏面を有し、本図では、この吸収要素１３の表面が示されている。
【００２６】
また、本実施形態のオムツ１は、縦方向に沿って延びる液不透過性の防漏壁１５を具備する。この防漏壁１５により、体液がオムツ１内に放出されたときに、体液がオムツの外部に漏れ出ることを防止する働きをする。
【００２７】
また本実施形態では、防漏壁１５の縦方向端部１５Ｅは、前胴回り外装シート１０Ｆ及び後胴回り外装シート１０Ｒに位置するこれらの伸縮部分１０ＦＥ，１０ＲＥと重なるように配置されている。このように配置することで、オムツ１の着用時に防漏壁１５を横断方向の外側に引っ張ることができ、防漏壁１５同士の間隔を拡げることができる。しかしながら、防漏壁１５の縦方向端部１５Ｅは、これらの伸縮部分１０ＦＥ，１０ＲＥと重ならないように配置してもよい。なお、本発明において、「防漏壁の内面」とは、防漏壁１５が吸収要素１３の表面から離れる方向に起立した状態にある防漏壁１５の吸収要素１３を向いている側の、横断方向の内側に面する面のことをいい、「防漏壁の外面」とはその反対側の、横断方向の外側に面する面のことをいう。
【００２８】
また、伸縮部分１０ＦＥ，１０ＲＥは、本実施形態では従来のオムツと同様に、前胴回り外装シート１０Ｆ及び後胴回り外装シート１０Ｒに横断方向に延びる胴回り弾性部材１１Ｇを伸長状態で取り付けた部分である。しかしながら、伸縮部分１０ＦＥ，１０ＲＥは、前胴回り外装シート１０Ｆ及び後胴回り外装シート１０Ｒに伸縮性のシートを配置した部分であってもよい。
【００２９】
さらに、本実施形態のオムツ１は、吸収要素１３の両側に配置される伸縮性のある２対の、連結部材の具体的態様である連結ストリップ１７を備える。ここでは、連結ストリップ１７は、前胴回り外装シート１０Ｆ及び後胴回り外装シート１０Ｒに接合し、特にこれらの側縁部１１ＦＡ，１１ＲＡに接合する第一接合部１７ＥＦと、対応する防漏壁１５の外面と接合する第二接合部１７ＥＳを有する。
【００３０】
なお、本実施形態では、それぞれの防漏壁１５の横断方向の外側に、それぞれ前側領域ＦＡ及び後側領域ＲＡに接合する２対の連結ストリップが配置されているが、前側領域ＦＡのみに接合する１対の連結ストリップでもよいし、後側領域ＲＡのみに接合する１対の連結ストリップでもよい。
【００３１】
このような連結ストリップは、２枚の不織布等のシートの間に伸長状態の弾性部材を取り付けることによって形成してもよく、ストリップ自体に伸縮性を有するシートを使用してもよい。本実施形態では、連結ストリップ１７は、弾性部材貼り合わせ倍率（＝（防漏壁等のシートに貼り合わせるときの伸長状態にある弾性材料の長さ）÷（弾性材料の収縮状態長さ））が２．２倍に設定された４７０ＤＴＥＸの糸ゴム状のストリップ弾性部材３２が、各疎水性不織布のストリップに対してそれぞれ４本ずつ、その長手方向に沿って取り付けられているものである。
【００３２】
図３は、図２のＩＩＩ−ＩＩＩ線に沿った、本実施形態のオムツの展開時の断面図である。図３及びこの図以降の断面図では、防漏壁１５が角をなして曲げられている。しかしながら、この態様は説明を簡略化するためのものであって実際のものとは異なっており、実際には特に言及しない限り角を成さず連続的に変形しているものであるか、折り曲げられているものであることに留意されたい。
【００３３】
吸収要素１３は、その例として本図では、その表側のトップシート１３Ｔとその裏面の液不透過性のバックシート１３Ｂと、これらトップシート１３Ｔとバックシート１３Ｂとの間に保持された吸収体１３Ｃとによって構成されおり、さらに、吸収体１３Ｃは、吸液性コアをコアラップシートで包んだものとなっている。コアラップシートは、吸液性コアの保形性及び液拡散性の向上のために吸液性コアを被覆するシートである。なお、トップシートとコアラップシートとは、別々としてもよいし、１枚のシートとしてコアラップシートを省略してもよい。
【００３４】
本実施形態では、吸収要素１３の両側において吸収要素１３の裏面の側縁部から延出して横断方向の内側に向かって折り曲げられている１対の防漏壁１５は、防漏シート１４及び防漏フィルム１６を重ねたシートから構成され、これらが重なる部分の少なくとも一部が接合されている。これらのシート全体の断面形状は略Ｃ字形状になっている。防漏壁１５は、吸収要素１３の側縁部の位置に相当する固定端１５ＳＳと、固定端１５ＳＳから延びて終端する箇所に相当する自由端１５ＦＦを有し、この断面図では、固定端１５ＳＳから自由端１５ＦＦまで延びる、左右１対のものである。本図では、連結ストリップ１７が、防漏壁１５と、一例としてホットメルト接着剤Ａによって接合されているのが示されている。また、吸収要素１３は、防漏フィルム１６に接合されている。
【００３５】
さらに、本実施形態では、前側領域ＦＡ及び後側領域ＲＡにおいて、前述のように横断方向の内側に向かって折り曲げられている防漏壁１５の折り曲げ部分同士の間に位置する防漏シート１４の部分が、前胴回り外装シート１０Ｆ及び後胴回り外装シート１０Ｒと接合している。このようにすることで、オムツ１の縦方向の内側の領域においても防漏壁１５同士を離間させることができる。しかしながら、防漏シート１４が、防漏壁１５を構成するように、前胴回り外装シート１０Ｆ及び後胴回り外装シート１０Ｒに接合されていればよい。
【００３６】
また、各防漏壁１５は、その自由端１５ＦＦを含む自由端部１５Ｆに、防漏壁の長手方向に沿って延びる、伸長状態で取り付けられた弾性部材である自由端部弾性部材３１を具備する。なお、本実施形態では、自由端部弾性部材３１には、弾性部材貼り合わせ倍率が２．７倍に設定された４７０ＤＴＥＸの糸ゴムをそれぞれの自由端部１５Ｆにつき２本使用している。これらの自由端部弾性部材３１により、防漏壁１５を起立させることができる。
【００３７】
なお、本発明では、本実施形態において前胴回り外装シート１０Ｆ及び後胴回り外装シート１０Ｒから構成される外装シート１０は、疎水性又は不透液性を有する公知の各種の不織布から構成され、例えば、目付約１０〜４０ｇ／ｍ２の範囲にある、スパンボンド不織布、ポイントボンド不織布、ＳＭＳ不織布、不透液性のプラスチックフィルム、それらのラミネートなどから形成できる。
【００３８】
トップシート１３Ｔには、透液性を有する各種の繊維不織布、例えば、目付約１５〜４５ｇ／ｍ２のエアスルー繊維不織布、スパンボンド不織布、ＳＭＳ（スパンボンド・メルトブロン・スパンボンド）不織布等を用いることができる。
【００３９】
吸収コアは、超吸収性ポリマー粒子（ＳＡＰ）とフラッフパルプもしくは熱可塑性合成繊維（ステープルファイバー）とを混合して所定の形状に形成されているものである。または熱可塑性剛性繊維にポリマー粒子を散布したものや、コアラップシート上にポリマー粒子を散布し接着剤にて固定したもの等の、各種公知の吸収コアを用いる事ができる。
【００４０】
コアラップシートには、少なくともその肌面側の一部は透液性を有する各種の繊維不織布もしくはティッシュシートを用い、例えば、目付約１０〜３０ｇ／ｍ２のエアスルー繊維不織布、スパンボンド不織布、ＳＭＳ不織布、１０〜３０ｇ／ｍ２のティッシュシートを用いることができる。
【００４１】
防漏シート１４は、疎水性又は不透液性を有する公知の各種の繊維不織布であって、例えば、目付約１０〜４０ｇ／ｍ２の範囲にある、スパンボンド不織布、ポイントボンド不織布、ＳＭＳ（スパンボンド・メルトブローン・スパンボンド）不織布、不透液性のプラスチックフィルム、それらのラミネートなどから構成できる。
【００４２】
吸収要素のバックシート１３Ｂ及び防漏フィルム１６は、防漏性（液不透過性）プラスチックフィルム、又は難透液性繊維不織布、それらのラミネート等から形成することができ、例えば、主にはプラスチックフィルムや、不織布とプラスチックフィルムのラミネートなどから形成できる。
【００４３】
図４を参照して本実施形態のオムツ１の作用を示す。本図に示すように、このような連結ストリップ１７を使用することによって、着用者がオムツ１を着用するときに、胴回り開口ＷＯ（図１）が着用者の胴回りに添って広げられ、前胴回り外装シート１０Ｆ及び後胴回り外装シート１０Ｒが横断方向に伸長するのに伴い、前胴回り外装シート１０Ｆ及び後胴回り外装シート１０Ｒと接合している各連結ストリップ１７の第一接合部１７ＥＦが横断方向の外側に引っ張られて、各連結ストリップ１７の第二接合部１７ＥＳと接合している防漏壁１５の部分を吸収要素１３から離間する方向かつ横断方向の外側に持ち上げる力を伝達させることになり、さらに本実施形態の場合では、各連結ストリップ１７が収縮して防漏壁１５を持ち上げる力を発生することになる。その結果、防漏壁１５をさらに起立させると共に防漏壁１５同士を離間させることができる。したがって、オムツ１の縦方向の内側の領域において吸収要素１３及び防漏壁１５が形成するポケットＰを作ることができ、ひいては体液をこのポケットＰ内に留めて体液を吸収要素１３に吸収させることができるので、連結ストリップ１７はオムツ１の漏れ防止のために有効な手段である。
【００４４】
なお、図４において、上述した「防漏壁の内面」は参照番号１５ＩＮで示される面であり、「防漏壁の外面」は参照番号１５ＥＸで示される面である。
【００４５】
本実施形態では、連結部分の接合中間部分４１は、連結ストリップ１７、つまり連結部分の防漏壁１５を持ち上げる力を発生させる部分のことをいう。連結部材と側縁部との接合部分から縦方向の内側かつ横断方向の内側に延びて、使い捨てオムツの連結部材と防漏壁との接合部分まで達する部分であるので、各連結ストリップ１７の第一接合部１７ＥＦと第二接合部１７ＥＳとの間の部分が接合中間部分４１に相当することになる。
【００４６】
なお、防漏壁１５を持ち上げる力を伝達し又は発生させることを考慮すると、接合中間部分４１は、使い捨てオムツ１のいずれの構成要素とも接合していないことが好ましい。しかしながら、接合中間部分４１は、部分的にオムツ１のいずれかの構成要素に、例えば連結ストリップ１７の中間地点で前胴回り外装シート１０Ｆ又は後胴回り外装シート１０Ｒに接合することもできる。それにより、オムツ１の着用時においてオムツ１に脚を通すときに、連結ストリップ１７が脚に引っかかってしまうことを防ぐことができる。
【００４７】
（第二の実施形態）
図５は、いわゆるテープ型又はオープン型と呼ばれるタイプのものである第二の実施形態のオムツ１の展開時の平面図を示す。第二の実施形態については、第一の実施形態との差異について特に言及する。
【００４８】
第二の実施形態のオムツ１は、前側領域ＦＡから股領域ＣＡを介して後側領域ＲＡにわたって一体の外装シート１０を有しており、その上に吸収要素１３が取り付けられるという構成を主に有する。しかしながら、外装シート１０は、第一の実施形態のように前胴回り外装シート１０Ｆと後胴回り外装シート１０Ｒとに分かれていてもよいし、後述する第三の実施形態のように前胴回り外装シート１０Ｆ及び後胴回り外装シート１０Ｒのそれぞれが前側領域ＦＡ及び後側領域ＲＡのみに拡がる矩形のシートでもよい。本実施形態の外装シート１０は、横断方向の幅が前側領域ＦＡ及び後側領域ＲＡよりも幅が狭くなっている脚回り開口形成部２１を股領域ＣＡに含む。
【００４９】
本実施形態では、外装シート１０には、オムツ１を着用者に着用させるときに使用する、外装シート１０の前側領域ＦＡと後側領域ＲＡとを接合させるための１対のファスニングテープ１８が、外装シート１０の後側領域ＲＡの両側の側縁部１１ＲＡに設けられている。ここで、ファスニングテープ１８同士の間の横断方向に延びる部分にテープ間部分１０ＦＴを画定する。このテープ間領域１０ＦＴに伸縮領域１０ＲＥが設けられてもよい。
【００５０】
本実施形態では特に、連結ストリップ１７の第一接合部１７ＥＦは、後側領域の側縁部１１ＲＡに接合し、さらにこの接合部分は後側領域のテープ間部分１０ＦＴと重なるように配置されている。それにより、一般的に、着用者がオムツ１を着用するときに、ファスニングテープ１８を横断方向の外側に引っ張ることから、前側領域のテープ間部分１０ＦＴが横断方向の外側に引っ張られることになり、ひいては連結ストリップ１７の第二接合部１７ＥＳが横断方向の外側に移動することになるので、第一の実施形態の連結ストリップ１７と同様の効果をもたらすことができる。しかしながら、本実施形態のオムツに、第一の実施形態のように前側領域ＦＡと後側領域ＲＡのそれぞれの側縁部１１ＦＡ，１１ＲＡに接合する２対の連結ストリップ１７を取り付けてもよいし、後側領域ＲＡの側縁部１１ＲＡのみに接合する１対の連結ストリップ１７を取り付けてもよい。
【００５１】
また、第二の実施形態のオムツ１は、股領域ＣＡにわたって外装シート１０を有するので、防漏壁１５のオムツ１への別の取り付け方を実施することができる。図６は、第二の実施形態のオムツへの、防漏壁の別の取り付け方を説明する断面図を示す。この場合では、本図で示すように、防漏壁は２つのシートから形成され、それぞれのシートの横断方向の外側の端部と外装シート１０とがホットメルト接着剤Ａで接合されている。このような防漏壁１５でも、上述のオムツ１と同様の効果をもたらすことができる。なお、この場合では、特に図示されていないものの、吸収要素１３は、外装シート１０に接合されている。
【００５２】
（第三の実施形態）
図７は、本発明の第三の実施形態のオムツ１の展開時の正面図を示す。第三の実施形態についても、第二の実施形態と同様に第一の実施形態との差異について特に言及する。
【００５３】
本実施形態においては、前胴回り外装シート１０Ｆは前側領域ＦＡにおいて矩形をなしており、後胴回り外装シート１０Ｒは後側領域ＲＡにおいて矩形をなしており、股領域ＣＡには、外装シート１０が存在しない構成となっている。しかしながら、前胴回り外装シート１０Ｆ及び後胴回り外装シート１０Ｒは、第一の実施形態のように股領域ＣＡにわたって拡がるものでもよいし、第二の実施形態のように一体の外装シートであってもよい。
【００５４】
さらに、本実施形態の使い捨てオムツ１は、連結部材の具体的態様として、連結ストリップ１７ではなく、吸収要素１３の両側に配置された、伸縮性を有する１対の脚回りシート１９を具備する。本実施形態の各脚回りシート１９は矩形をしており、その横断方向の外側の縁部に脚回り開口形成部２１を構成する凹部を有する。なお、脚回りシート１９は伸長性シート又は伸縮性シートから構成できる。伸長性シートとして、例えば、ポリエチレン、ポリプロピレン等の熱可塑性樹脂フィルムを用いることができる。あるいは、熱可塑性樹脂フィルムに、部分的に切断され又は脆弱化された非伸長性不織布を貼り合わせた複合シートから構成することもできる。一方、伸縮性シートとして、例えば、ウレタン、スチレンのような熱可塑性エラストマ樹脂を溶融した伸縮繊維からなる不織布、伸縮繊維からなる不織布に、部分的に切断され又は脆弱化された非伸長性不織布を貼り合わせた複合シートから構成することもできる。
【００５５】
本実施形態では、各脚回りシート１９の縦方向端部はそれぞれ、前胴回り外装シート１０Ｆ及び後胴回りシート１０Ｒの縦方向の内側の端部である、前胴回り外装シート１０Ｆ及び後胴回りシート１０Ｒの側縁部１１ＦＡ，１１ＲＡの一部を含む縦方向内縁部２０と横断方向に沿って全体的に接合されている。それにより、脚回りシート１９はそれぞれ、前胴回り外装シート１０Ｆの側縁部１１ＦＡ及び後胴回りシート１０Ｒの側縁部１１ＲＡとそれぞれ接合する２つの第一接合部１９ＥＦを有する。さらに、各脚回りシート１９は、その横断方向の内側の端部が防漏壁１５の自由端１５ＦＦと固定端１５ＳＳとの間の外面に縦方向に沿って接合する第二接合部１９ＥＳを有する。また、各脚回りシート１９の横断方向の外側の端部には、脚回り開口ＬＯを形成する脚回り開口形成部２１を有している。
【００５６】
また、本実施形態では、各脚回りシート１９は伸長状態で取り付けられていて、その伸長方向は縦方向であるが、横断方向でもよい。なお、シートの「伸長状態」とは、シートを貼り付けるときのシートの伸長率が１．２倍以上である状態をいうものとする。
【００５７】
ここで、シートの「伸長率」は次のようにして求められる。シートの伸長率は、縦方向と横断方向との両方についてそれぞれ測定される。まず、測定方向に一定の長さを有する、測定したいシート材が配されているサンプルを対象のオムツから切り出す。サンプルは、測定したい対象の弾性要素以外の弾性要素があらかじめ取り除かれたものでなければならない。本実施形態において脚回りシート１９の伸長率を測定する場合、脚回りシート１９のサンプルとしては、横断方向の測定サンプルとして、縦方向内縁部２０との接合部分を、縦方向の測定サンプルとして、防漏壁１５との接合部分を採用するのが好ましい。次いで、サンプルを相対湿度６０％±５％の雰囲気下に２４時間放置した後（つまり、サンプルを自然状態にした後）、サンプルを平坦な面上に置き、測定方向に張力を可能な限り付与しない状態で、サンプルに長さＡ（ｍｍ）（例えば５０ｍｍ）の線分を描く。（この線分は可能な限り長い線分とするのが好ましい。測定誤差を小さくすることができるからである。）次いで、サンプルを構成するシートが破壊しない程度に最大にサンプルを測定方向に伸長させたときの線分の長さＢ（ｍｍ）を測定する。最後に、次式を用いて伸長率が算出される。
【００５８】
伸長率＝Ｂ／Ａ
【００５９】
図８は、図７のＶＩＩＩ−ＶＩＩＩ線に沿った、第三の実施形態のオムツの部分断面図を示す。
【００６０】
本図では、各脚回りシート１９の横断方向端部が対応する防漏壁の固定端１５ＳＳと自由端１５ＦＦとの間に、例えばホットメルト接着剤Ａで縦方向に沿って接合されている。あるいは、脚回りシート１９及び防漏壁１５は横断方向にさらに広い範囲又は狭い範囲でもって接合されてもよい。
【００６１】
このような脚回りシート１９により、第一及び第二の実施形態の連結ストリップ１７と同様に、着用者がオムツ１を装着したときに、前胴回り外装シート１０Ｆ及び後胴回り外装シート１０Ｒがオムツの展開時の横断方向に伸長するのに伴い、各脚回りシート１９が横断方向の外側に引っ張られて防漏壁１５を持ち上げる力を伝達させることになり、本実施形態のように製造時に各脚回りシートを伸長状態で取り付けた場合はさらに、各脚回りシート１９自体が収縮して防漏壁１５を持ち上げる力を発生する。その結果、オムツ１の縦方向の内側の領域において防漏壁１５をさらに起立させると共に防漏壁１５同士を離間させることができる。したがって、吸収要素１３及び防漏壁１５が形成するポケットＰを作ることができ、ひいては体液をこのポケットＰ内に留めて体液を吸収要素１３に吸収させることができるので、脚回りシート１９はオムツ１の漏れ防止のために有効な手段である。
【００６２】
なお、本実施形態において、脚回りシート１９（連結部分）の接合中間部分４１は、上述したように、連結部分の防漏壁１５を持ち上げる力を伝達し又は発生させる部分であるので、第一接合部１９ＥＦから縦方向の内側かつ横断方向の内側に向かって第二接合部１９ＥＳまで延在する領域、つまり縦方向端部の前胴回りシート１０Ｆ、後胴回りシート１０Ｒ及び防漏壁１５と脚回りシート１９との接合部分に３方向に囲われている領域をいうものと理解すべきである。
【００６３】
また、脚回りシート１９は、非伸長状態で取り付けられていてもよい。従来のオムツでは、着用者の大腿部を締め付けるように脚回り開口ＬＯを形成する伸縮性のあるシート又は弾性部材が取り付けられたシートが伸長状態で取り付けられている場合があり、脚回りシート１９自体が収縮する力が脚回り開口ＬＯ周辺の部分を収縮させてしまうことにより、そのようなオムツを着用しようとするときに脚回り開口ＬＯが脚を通す方向に向かず、着用者に対して横方向側を向き、かつ脚回り開口ＬＯを狭窄させるので、脚をこの脚周り開口に通すときに脚周り開口の縁部に脚が引っかかり易く、脚を通しづらい場合があった。そこで、本発明のように脚回りシート１９を防漏壁１５に、さらに非伸長状態で取り付けることによって、脚回りシート１９自体が収縮する力を発生せず、防漏壁１５が弾性部材の力で起立する力により脚回りシート１９の第二接合部１９ＥＳが持ち上げられ、対の脚回りシート１９同士が全体的に引き寄せられることによって、着用時に脚回り開口ＬＯがオムツを着用しようとするときに下を向くようになるので有利である。なお、この場合では、脚回りシート１９は収縮性を必ずしも有さずともよく、伸長性を有するものであればよい。
【００６４】
なお、上述のように脚回りシート１９を非伸長状態で取り付けた場合においても、着用者が着用するときに脚回りシート１９が着用者の大腿部に密着することにより脚回りシート１９を伸長させるので、各脚回りシート１９が横方向外側に引っ張られて、防漏壁１５を起立させると共に防漏壁１５同士を離間させることが可能となる。さらには、このようなオムツ１を履いた後では、脚回りシート１９が非伸長状態から伸長状態になるため、脚回りシート１９の皺がほぼ形成されていない又は皺が形成されていない状態で着用されることとなり、脚回りシート１９自体によるオムツ１の防漏性も高まることになる。
【００６５】
なお、シートの「非伸長状態」とは、オムツを製造する場合にシートを搬送するために、シートには必ず張力が付与されるものであるが、脚回りシート１９を接合するときの伸長率が１．０〜１．２倍である状態をいうものとする。脚回りシート１９の伸長率が１．２倍よりも低いことにより、脚回りシート１９に接合される構成要素を実質的に収縮させることができないので、このような状態を非伸長状態と定義する。この伸長率であれば上述したオムツの着用時の脚の通しづらさを避けることができる。
【００６６】
また、このような脚回りシート１９が、皺が形成されていない状態で取り付けられていると好ましい。着用者の大腿部と各脚回りシートとの間に空間ができず、体液の漏れを防止するからである。
【００６７】
なお、「皺が形成されていない」とは、シートの皺の高さが０．５ｍｍ以下であることを指す。ここで「皺」とは弾性要素によりシートが収縮することによりに形成された凹凸のことをいう。さらに、皺の高さは、尾崎製作所社製、ダイヤルシックネスゲージを用いて測定される。この場合、直径１０ｍｍの測定端子が用いられ、測定されるべき対象のシートに２．８ｇｆ／ｃｍ２の荷重が印加される。皺の高さを測定するには、まず対象のシートの伸長率を上述の方法で測定する。次いで、対象のシートを相対湿度６０％±５％の雰囲気下に２４時間放置した後（つまり、サンプルを自然状態にした後）、測定対象部位の厚さＡ（ｍｍ）をシックネスゲージにより測定する。さらにそのシートを、自然状態における長さから伸長率分だけ弾性要素による収縮方向に沿って伸長させた後に、前述の測定と同様に厚さＢ（ｍｍ）を測定する。なお、シートの皺の高さは、測定対象のシートの１０ｍｍごとに測定され、これら測定値の平均値が脚回りシートの皺の高さとして算出される。
【００６８】
なお、本実施形態のオムツでは、脚回りシート１９が、図１のオムツの脚回り開口ＬＯよりもさらに下方に延びる下方延出脚部を構成し、この下方延出脚部が本実施形態のオムツの脚回り開口ＬＯを形成する。
【００６９】
（第四の実施形態）
図９は、第四の実施形態のオムツの展開時の平面図を示す。第四の実施形態では、第三の実施形態との差異について特に言及する。
【００７０】
第四の実施形態では、第三の実施形態と異なり、吸収要素１３の両側に配置された２対の脚回りシート、すなわち１対の前側脚回りシート１９Ｆ及び１対の後側脚回りシート１９Ｒを備える。各前側脚回りシート１９Ｆ及び各後側脚回りシート１９Ｒには、これらの横断方向の外側かつ縦方向の内側に脚回り開口ＬＯを形成する脚回り開口生成部２１が形成されている。
【００７１】
このように、前側脚回りシート１９Ｆと後側脚回りシート１９Ｒとに脚回りシート１９を分割すると、本発明の効果を発揮しつつ、脚回りシートを節約することができるので有利である。
【００７２】
（使い捨てオムツの変形例）
これより、使い捨てオムツの変形例について、第一の実施形態のオムツ１の断面図に基づいて説明する。なお、ここでは各変形例を第一の実施形態のオムツ１との組み合わせに基づいて説明するが、第二〜第四の実施形態のオムツにも以下の変形例の態様が適用可能であることはいうまでもない。
【００７３】
図１０は、使い捨てオムツ１の変形例を示すものであり、図３に類似する断面図を示す。この変形例では、さらに前側領域ＦＡから股領域ＣＡを通過して後側領域ＲＡにわたって縦方向に延びる１対の股下弾性部材３３が、吸収要素１３が含む吸収体１３Ｃの両側縁部近傍において防漏シート１４と防漏フィルム１６との間に取り付けられている。この変形例では、１対の股下弾性部材３３は前側領域ＦＡから股領域ＣＡを通過して後側領域ＲＡにわたって縦方向に延びているが、股領域ＣＡのみを延びてもよいし、前側領域ＦＡと股領域ＣＡとにわたって延びてもよいし、後側領域ＲＡと股領域ＣＡとにわたって延びてもよい。なお、本実施形態では、股下弾性部材３３は、弾性部材貼り合わせ倍率が２．４倍に設定された７８０ＤＴＥＸの糸ゴムをそれぞれの股下弾性部材３３につき１本使用している。
【００７４】
従来のオムツでは、特に吸収体１３Ｃが体液を吸収して重量を増したときに、吸収要素１３がその重量によって着用者の股下部分から垂れ下がり、ひいては防漏壁１５の自由端部１５Ｆが着用者から離れての腿や股下部分に密着しなくなり、結果として、体液がオムツ１から漏れ出るおそれがあった。この股下弾性部材３３は、その収縮する力によって吸収要素１３の垂れ下がりを抑制するという利点をもたらし、上述のように体液の漏れを防ぐことができる。さらに、この股下弾性部材３３は、防漏壁１５の固定端１５ＳＳ近傍にある防漏シート１４及び防漏フィルム１６を持ち上げるので、防漏壁１５の起立する作用がより顕著となることにより、脚回りシート１９が鉛直方向下向きにより確実に向き易くなる。
【００７５】
本変形例では、股下弾性部材３３が防漏シート１４と防漏フィルム１６との間に取り付けられている。しかしながら、上述の目的を達成するためには、股下弾性部材３３は、吸収要素１３の表面よりも裏面に近い位置であって、最大幅を有する吸収体の側部から横断方向の外側又は横断方向の内側に１０ｍｍ以内の位置に配置されていればよい。吸収要素１３の垂れ下がりを抑えるべく吸収要素１３に着用者に向かって力を発生させるという目的のために、股下弾性部材３３は、吸収要素１３の表面よりも裏面に近い位置にあるべきである。加えて、この力を吸収体１３Ｃに十分に伝達させるためには、吸収体の側部から横断方向の外側又は横断方向の内側に１０ｍｍ以内の位置に配置されるべきである。１０ｍｍよりも横断方向の外側であれば、股下弾性部材３３同士の間に位置する吸収体１３Ｃの重量によって吸収要素１３が垂れ下がり、１０ｍｍよりも横断方向の内側であれば、吸収体１３Ｃの側縁部が垂れ下がってしまうからである。
【００７６】
また、本変形例のように、股下弾性部材３３を取り付けた使い捨てオムツの部分、すなわち本変形例では防漏フィルム１６又は防漏シート１４の縦方向の収縮率が、自由端部弾性部材３１を取り付けた防漏壁の自由端部１５Ｆの縦方向の収縮率以下であると好ましい。所望の形状のポケットを形成することができるからである。
【００７７】
ここで、部分の「収縮率」は次のようにして求められる。この場合、部分の収縮率は縦方向について測定される。まず、測定方向に一定の長さを有する、測定したい部分が配されているサンプルを対象のオムツから切り出す。サンプルは、測定したい対象の弾性要素以外の弾性要素があらかじめ取り除かれたものでなければならない。本変形例では、縦方向に一定の長さを有する、自由端部弾性部材３１を含む防漏壁１５の部分と、股下弾性部材３３を含む防漏シート１４及び防漏フィルム１６の部分とをサンプルとして採用するのが好ましい。次いで、サンプルを構成するシートが破壊しない程度に最大にサンプルを伸長させて、サンプルに長さＸ（ｍｍ）（例えば５０ｍｍ）の線分を描く。（この線分は可能な限り長い線分とするのが好ましい。測定誤差を小さくすることができるからである。）次いで、サンプルを相対湿度６０％±５％の雰囲気下に２４時間放置した後（つまり、サンプルを自然状態にした後）、サンプルを平坦な面上に置き、測定方向に張力を可能な限り付与しない状態で、線分の長さＹ（ｍｍ）を測定する。最後に、次式を用いて収縮率が算出される。
【００７８】
収縮率＝（Ｘ−Ｙ）／Ｘ
【００７９】
なお上述では、収縮率は測定したい部分が配されている、切り出されたサンプルから求められたが、サンプルを切り出さないで測定ができるならば、オムツの状態のまま収縮率を測定してもよい。
【００８０】
図１１は、使い捨てオムツ１のさらなる変形例を示す、図１０に類似する断面図である。この変形例では、防漏壁１５がさらに、自由端部弾性部材３１と固定端１５ＳＳとの間に位置する中間部分に伸長状態で取り付けられた、防漏壁１５の長手方向に沿って延びる弾性部材である中間位置弾性部材３５をそれぞれ含む。なお、この変形例では、中間位置弾性部材３５は、弾性部材貼り合わせ倍率が２．３倍に設定された４７０ＤＴＥＸの糸ゴムを、図１１に示されているようにそれぞれの中間位置弾性部材３５につき２本ずつ使用している。
【００８１】
中間位置弾性部材３５は、自由端部弾性部材３１と同様の働きをし、中間位置弾性部材３５が取り付けられている防漏壁１５の部分を吸収要素１３から離間させることができ、ひいては防漏壁１５を起立させることができる。
【００８２】
さらに、この変形例では、連結ストリップ１７の第二接合部１７ＥＳが、中間位置弾性部材３５に重なるように配置されている。これにより、防漏壁１５を持ち上げる作用がさらに補強され、より一層の漏れ防止効果をもたらすことができる。
【００８３】
この変形例のオムツには、股下弾性部材３３が取り付けられているが、これらが取り付けられていない態様のオムツでもよい。
【００８４】
図１２は、使い捨てオムツ１のさらなる変形例を示す、図１１に類似する図である。この変形例における防漏壁１５はさらに、防漏壁１５の自由端部弾性部材３１と固定端１５ＳＳとの間に位置する中間部分である防漏壁折り曲げ部３７において、防漏壁１５の長手方向に延びる防漏壁折り曲げ線に沿って横断方向外向きに防漏壁１５を折り返して、互いに重なり合う防漏壁部分を防漏壁の縦方向端部１５Ｅにおいて、この変形例ではホットメルト接着材で接合している（図示しない）。なお、この変形例の場合では、防漏壁の縦方向端部１５Ｅは、上述の折り曲げがなされた上で、前胴回り外装シート１０ＦＡ及び後胴回り外装シート１０ＲＡと接合している点に留意されたい。
【００８５】
この変形例の構成により、防漏壁１５の自由端１５ＦＦが横断方向の外側を向くので、防漏壁１５同士が近接することを防ぐことができる。
【００８６】
この変形例のオムツには、股下弾性部材３３及び中間位置弾性部材３５が取り付けられているが、これらが両方又は一方が取り付けられていない態様のオムツでもよい。
【００８７】
本発明では、各弾性部材には様々な繊度、貼り合わせ倍率、本数の糸ゴムを使用している。しかしながら、各弾性部材はこれまでに示された弾性部材貼り合わせ倍率、繊度及び素材に制限されるものではなく、必要に応じて自由に設定することができるものとする。弾性部材の素材には、ポリウレタン弾性繊維からなる糸状ゴムや、天然ゴムから構成されるゴムもしくはポリウレタン系繊維からなる弾性シート等を用いる事ができ、弾性部材を伸長状態で取り付けたシートをその伸長方向に沿って伸長、収縮を繰り返す事が可能となる。
【００８８】
また、本発明の実施形態では、構成要素同士の接合にホットメルト接着剤Ａを使用しているが、これに制限されるものではなく、ヒートシールやソニックシール等の熱による溶着手段を使用してもよい。
【００８９】
なお、本明細書、図面及び特許請求の範囲から当業者によって理解されることのできるような全ての特徴は、これらの特徴が特定の他の特徴に関連してのみ組み合わされて説明されたとしても、それらの特徴が明確に除外されない限り、又は技術的な態様が不可能な若しくは意味のない組み合わせにならない限りにおいて、独立して、またさらに、ここで開示された他の特徴又は特徴の複数の群と任意に組み合わせて、結合されることができるものとする。
【符号の説明】
【００９０】
１    使い捨てオムツ
１０    外装シート
１０Ｆ    前胴回り外装シート
１０Ｒ    後胴回り外装シート
１１ＦＡ    前側領域の側縁部
１１ＲＡ    後側領域の側縁部
１３    吸収要素
１５    防漏壁
１７    連結ストリップ（連結部分）
１９    脚回りシート（連結部分）
３１    自由端部弾性部材
４１    接合中間部分
ＦＡ    前側領域
ＣＡ    股領域
ＲＡ    後側領域
【図１】
0005773895.tif 000002
【図２】
0005773895.tif 000003
【図３】
0005773895.tif 000004
【図４】
0005773895.tif 000005
【図５】
0005773895.tif 000006
【図６】
0005773895.tif 000007
【図７】
0005773895.tif 000008
【図８】
0005773895.tif 000009
【図９】
0005773895.tif 000010
【図１０】
0005773895.tif 000011
【図１１】
0005773895.tif 000012
【図１２】
0005773895.tif 000013